(57)【特許請求の範囲】
【請求項１】
棒状部材を配置するケース本体と、このケース本体に揺動可能に保持され該ケース本体と合わさって収納空間を形成する蓋体とからなるケースであって、
ケース本体に、棒状部材をそのキャップとともに着脱自在に保持するホルダーを設け、
該ホルダーに、棒状部材のキャップに設けられた環状段差又はキャップと本体部分との合わせ面に設けられた環状の凹部に適合するU字状をなす凹部を有し、該環状段差又はキャップと本体部分との合わせ面に突き当てることによりキャップを残したまま本体部分を引き抜いて取り外すことができる側板を設けたことを特徴とする棒状部材の収納ケース。
【請求項２】
ホルダーは、ケース本体に揺動可能に保持されるものである、請求項1記載の収納ケース。
【発明の詳細な説明】
【０００１】
【発明の属する技術分野】
本発明は、口紅やリップクリーム等の棒状部材を数本まとめて収納しておくのに好適なケースに関し、該棒状部材をキャップをつけたままで簡便な着脱を可能にしようとするものである。
【０００２】
【従来の技術】
口紅やリップクリーム等の棒状部材は、装填物を収納して適宜に繰り出すことができる本体部分とその本体部分の先端部に装着されるキャップとの組み合わせからなるケースを備えており、通常は単品でそれ自体を携帯することができるようになっている。そして、近年、上記のような棒状部材は、様々な使用形態に対応させるために数種類の棒状部材をひとまとめにして収納することを可能としたケースが使用されるようになってきており、その需要も年々増加する傾向にある。
【０００３】
ところで、かかるケースは、棒状部材を収納するに当たっては本体部分に装着されるキャップを取り外した状態で収納することを前提としており、キャップは単品での携帯に際して使用すべく、別途に保管しておく必要があるところ、それを紛失してしまうこともしばしばあって、その場合には、単品での携帯が不可能となり、かえって使いにくくなるのが避けられない。
【０００４】
【発明が解決しようとする課題】
本発明の課題は、棒状部材をキャップとともに収納でき、しかも、使用に際しては簡便に着脱することができる新規な収納ケースを提案するところにある。
【０００５】
【課題を解決するための手段】
本発明は、棒状部材を配置するケース本体と、このケース本体に揺動可能に保持され該ケース本体と合わさって収納空間を形成する蓋体とからなるケースであって、
ケース本体に、棒状部材をそのキャップとともに着脱自在に保持するホルダーを設け、
該ホルダーに、棒状部材のキャップに設けられた環状段差又はキャップと本体部分との合わせ面に設けられた環状の凹部に適合するU字状をなす凹部を有し、該環状段差又はキャップと本体部分との合わせ面に突き当てることによりキャップを残したまま本体部分を引き抜いて取り外すことができる側板を設けたことを特徴とする棒状部材の収納ケースである。
【０００６】
上記の構成においてホルダーは、ケース本体に揺動可能に保持されるものとするのが望ましい。
【０００７】
【発明の実施の形態】
以下、図面を用いて本発明をより具体的に説明する。
図１は本発明に従う棒状部材の収納ケースの外観を斜視図で示したものであり、図２（ａ）はその平面（蓋体を取り外した状態）を、また、図２（ｂ）はその断面をそれぞれ示したものである。図において１は２本（２種類）の棒状部材Ｓ１、Ｓ２を配置した例で示したケース本体、２はこのケース本体１に枢支ピンＰを介して揺動可能に保持される蓋体であり、ケース本体１と合わさって棒状部材Ｓ１、Ｓ２を収納する収納空間を形成する。
【０００８】
また、３はケース本体１内に配置されるホルダーである。このホルダー３はＵ字状に成形した凹部を有する側板３ａを有するとともに、枢支ピンＰを介して蓋体２とは別個に揺動可能に保持されており、図３にそれを単独で示す如く、棒状部材Ｓ１、Ｓ２をそれぞれ着脱自在に保持する保持空間Ｋを有している。
【０００９】
棒状部材Ｓ１、Ｓ２をそれぞれホルダー３に装着するには、図４に示すように棒状部材のキャップに予め環状段差ｔ１、ｔ２を設けておき、この環状段差ｔ１、ｔ２にホルダー３の側板３ａを適合させるようにサイドから差し込めばよい。該棒状部材Ｓ１、Ｓ２  をホルダー３から取り外すに際しては取り付けの場合と逆の手順に従う。
【００１０】
ホルダー３に装着した棒状部材Ｓ１、Ｓ２は図３に示す如くホルダー３の弾性凸部３ｂの押圧下にキャップが収納空間Ｋ内でホルダー３にしっかりと保持されることとなり、図５に示すように、棒状部材Ｓ１、Ｓ２を使用すべく、そこから本体部分を引き抜くだけで該キャップを残したまま簡単に取り外すことができる。
【００１１】
図６は本発明に従う収納ケースの構成部材のうち、ホルダー３のみに変更を加えた例を示したものである。このホルダー３はＵ状の溝を収納空間Ｋとしてその縁に設けた複数個の爪部３ｃにて棒状部材を収納空間Ｋに留めて置くことができるものであって、この場合、図７に示すように棒状部材のホルダー３に対する着脱が非常に簡単であり、また、棒状部材の使用に際しては図８の如くキャップの環状段差ｔ１、ｔ２がホルダー３の側板３ａに突き当たることになるので該キャップを残したままで引き抜くことができる。
【００１２】
図９、図１０は上掲図５と同様、本発明に従う収納ケースのホルダー３にのみ変更を加えた例を示したものである。
【００１３】
図９はホルダー３に上掲図１と同様の側板３ａを設け、棒状部材Ｓ１、Ｓ２のキャップの先端に設けた環状段差ｔ１、ｔ２（図示せず）をホルダー３のサイドから差し込んで該側板３ａに適合させて保持する構造のものであり、図１０はホルダー３に凸部３ｄを設け、棒状部材Ｓ１、Ｓ２のキャップ先端に該凸部３ｄに適合する凹部（図示せず）を設けてそれらをアンダーカットによって着脱自在に連結、保持する構造のものである。
【００１４】
これらの例のものは何れの場合も、棒状部材Ｓ１、Ｓ２をホルダー３に簡単に着脱することができ、棒状部材の使用に際してはキャップを残したままで本体部分を引き抜くことが可能になる。
【００１５】
本発明においては、棒状部材Ｓ１、Ｓ２をホルダー３に装着するにあたって、キャップに設けた段差ｔ１、ｔ２を利用する場合について説明したが、これは例えばキャップあるいはキャップと本体部分の合わせ面に環状の凹部を設けてこれをホルダー３の側板３ａに適合さるようにしてもよくこの点に関してはとくに限定されない。また、図１０においては、アンダーカットによって連結する場合を例として示したが、凹凸部に雄ねじ、雌ねじを設けてこれらによって連結するねじ式の連結構造を適用することもできる。
【００１６】
【発明の効果】
本発明によれば、棒状部材を単品で携帯できる状態のままで数本まとめて簡便に収納できるので使い勝手がよく、キャップを簡単に紛失させてしまうこともない。
【図面の簡単な説明】
【図１】  本発明に従う収納ケースの外観斜視図である。
【図２】  （ａ）は図１の平面図であり、（ｂ）は図１の断面図である。
【図３】  ホルダーの外観斜視図である。
【図４】  棒状部材の装着状態を示した図である。
【図５】  棒状部材の本体部分の引き抜き状態を示した図である。
【図６】  ホルダーの他の例を示した図である。
【図７】  図６に示したホルダーに対する棒状部材の着脱要領の説明図である。
【図８】  棒状部材の本体部分の引き抜き状態を示した図である。
【図９】  ホルダーの他の例を示した図である。
【図１０】  ホルダーの他の例を示した図である。
【符号の説明】
１  ケース本体
２  蓋体
３  ホルダー
３ａ  側板
３ｂ  弾性凸部
３ｃ  爪部
３ｄ  凸部
Ｓ１、Ｓ２  棒状部材
Ｐ  枢支ピン
Ｋ  保持空間
ｔ１、ｔ２  環状段差
【図１】
0004104837.tif 000002
【図２】
0004104837.tif 000003
【図３】
0004104837.tif 000004
【図４】
0004104837.tif 000005
【図５】
0004104837.tif 000006
【図６】
0004104837.tif 000007
【図７】
0004104837.tif 000008
【図８】
0004104837.tif 000009
【図９】
0004104837.tif 000010
【図１０】
0004104837.tif 000011